(57)【要約】      （修正有）【課題】非使用時には扁平な状態に折り畳むことができると共に使用時にはワンタッチでディスプレイ装置を構成することができ、長期間使用した場合であっても、折り畳み動作によってもヒンジ部が劣化し破損することのないディスプレイ装置を提供する。【解決手段】支柱部１１と、この支柱部１１の周囲を覆う側面板部１２と、上記支柱部１１の上端部及び下端部には上面板部１３と下面板部１４とを有するディスプレイ装置本体部１５を備え、上面板部１３及び下面板部１４の一部は上記側面部１２に接合されて一対のヒンジ部１６を形成し、上記上面板部１３及び下面板部１４は上面板及び下面板の平面方向に沿って折り畳み可能に形成されると共に、上記側面板部１２は、上記上面板部１３及び下面板部１４の折り畳み動作に追随して高さ方向に沿って形成される一対の折り畳み線部３４に沿って、幅方向に２つに折り畳み可能に形成され、側面板部１２においては、上記支柱部１１と側面板部１２との間には、上記一対の折り畳み線部３４に沿って、常時、側面板部１２および支柱部１１を接合させる方向へ付勢する付勢部材３３が設けられ、上記一対のヒンジ部１６、１６を結ぶ仮想線は、上記一対の折り畳み線部３４，３４を結ぶ仮想線とは直交するように配置されている。【選択図】図１
0003103992.tif 000002
【実用新案登録請求の範囲】
【請求項１】
商品等を展示するために使用されるディスプレイ装置であって、
支柱部と、この支柱部の周囲を覆う側面板部と、上記支柱部の上端部及び下端部には上面板部と下面板部とを有するディスプレイ装置本体部を備え、
上面板部及び下面板部の一部は上記側面部に接合されて一対のヒンジ部を形成し、上記上面板部及び下面板部は上面板及び下面板の平面方向に沿って折り畳み可能に形成されると共に、上記側面版部は、上記上面板部及び下面板の折り畳み動作に追随して高さ方向に沿って形成される一対の折り畳み線部に沿って、幅方向に２つに折り畳み可能に形成され、
側面板部においては、上記支柱部と側面板部との間には、上記一対の折り畳み線部に沿って、常時、側面板部および支柱部を接合させる方向へ付勢する付勢部材が設けられ、
上記一対のヒンジ部を結ぶ仮想線は、上記一対の折り畳み線部を結ぶ仮想線とは直交するように配置され、
折り畳み状態では、上記上面板と下面板、及び側面板は、上記付勢部材の付勢力に抗して幅方向に沿って２つに折り畳まれると共に、使用時には、上記付勢部材の付勢力により所定の形態に復帰することを特徴とするディスプレイ装置。  
【請求項２】
上記支柱部は、上記ディスプレイ本体部の中央部において上記一対のヒンジ部の間の方向に直交して配置される板材として形成され、
上記支柱部には上記付勢部材の係止部が設けられると共に、上記側面板部内方には、上記支柱部の両縁部に当接する上記付勢部材の係止部が設けられ、上記付勢部材は、常時、上記側面部内方に設けられた付勢部材の係止部を上記支柱部の縁部に圧接するように付勢していることを特徴とする請求項１記載のディスプレイ装置。
【請求項３】
上記支柱部、上面板部及び下面板部はダンボール材により形成されると共に上記側面板部は厚紙により形成されていることを特徴とする請求項１記載のディスプレイ装置。
【請求項４】
上記上面板部及び下面板部は同一形状であって同一面積を有していることを特徴とする請求項１又は２記載のディスプレイ装置。
【請求項５】
上記上面板部及び下面板部は同一半径を有する円形に形成されると共に、上記側面板部は上記上面板部及び下面板部の周縁部に接合し得るように形成され、全体として円筒状に形成されていることを特徴とする請求項１，２,３又は４記載の記載のディスプレイ装置。
【考案の詳細な説明】
【技術分野】
【０００１】
本考案は、ディスプレイ装置に係り、特に、ボール紙等の軽量、簡易な素材によって構成され、折り畳んで搬送可能であると共に、ディスプレイとして使用する際にはワンタッチで使用状態に至るディスプレイ装置に関する。
【背景技術】
【０００２】
従来、図５乃至図７に示すような、ディスプレイ装置４０が使用されていた。このようなディスプレイ装置４０は、全体ダンボール紙で形成され、ディスプレイ部４１と、このディスプレイ部の上方に延設された背面板部４２とを有し、ディスプレイ部４１は下方が開放された箱状に形成され、一対の側面板部４３，４３が高さ方向に沿って幅方向中間部においてヒンジ部４４が設けられ、ディスプレイ部４１内方へ向かって２つに折り畳み可能に形成されている。
【０００３】
上記箱状のディスプレイ部４１の内部には、側面板部４３,４３内方には上記ヒンジ部４４において互いに所定間隔を置いて対向して突出形成された平板板状の柱部４５,４５が設けられ、この一対の柱部の４５,４５間には、上記柱部４５,４５の間隔寸法よりも小さな長さ寸法に形成された付勢部材としてのゴム紐４６が張設されている。
また、上記ディスプレイ部４１の上面部は、前面部の上端部から折曲可能に形成された折り返し片部４７によって形成されている。
【０００４】
従って、このような従来のディスプレイ装置４０を使用する場合には、以下のような手順を経ることとなる。
【０００５】
折り畳み状態では、上記一対の側面板部４３、４３は上記ヒンジ部４４においてディスプレイ部４１の内方に向かって２つに折り畳まれると共に、上記折り返し片部４７は、背面板部４２に開設されたインサート孔４８から抜き出され、背面板部４２に沿って配置された状態となっている。この場合、上記側面版の内方に設けられた一対の柱部４５、４５は互いに近接した状態にあることから、上記ゴム紐４６も緊張状態にはない。
【０００６】
一方、使用時には、上記一対の側面板部４３,４３を引き出し、一対の柱部４５、４５を離間させてこの柱部４５、４５の間に配設されたゴム紐４６を緊張させた状態で、上記折り返し片部４７を背面板部４２に開設されたインサート孔４８内に挿入する。
【０００７】
この状態で、上記柱部４５,４５の間に張設されたゴム紐４６はその付勢力により一対の柱部４５、４５を近接させる方向に力を付与するが、上記折り返し片部４７がインサート孔４８内に係合していることから上記一対の柱部４５、４５が互いに接近する事態は防止されると共に、このゴム紐４６の付勢力が側面板部４３,４３、前面板部４８及び背面板部４２に対して応力を付与し、ディスプレイ部４１を横断面長方形状のものに確立させる。
【０００８】
しかしながら、このような従来のディスプレイ装置４０にあっては、上記のように、上記側面板部４３、４３のヒンジ部４４において内方に設けられた柱部４５、４５の間に付勢部材としてのゴム紐４６が張設されていることから、上記ヒンジ部４４に対して付勢力が直接に作用することから、使用状態と非使用状態とを繰り返す際に、上記側面板部４３、４３のヒンジ部４４が使用の過程で劣化し、破損の可能性がある、という不具合を有していた。
【特許文献１】実公平２−３２１３１号公報
【考案の開示】
【考案が解決しようとする課題】
【０００９】
そこで、本発明は、非使用時には扁平な状態に折り畳むことができると共に使用時にはワンタッチでディスプレイ装置を構成することができ、長期間使用した場合であっても、折り畳み動作によってもヒンジ部が劣化し破損することのないディスプレイ装置を提供することにある。
【００１０】
上記目的を達成するために請求項１に係る考案にあっては、商品等を展示するために使用されるディスプレイ装置であって、支柱部と、この支柱部の周囲を覆う側面板部と、上記支柱部の上端部及び下端部には上面板部と下面板部とを有するディスプレイ装置本体部を備え、上面板部及び下面板部の一部は上記側面部に接合されて一対のヒンジ部を形成し、上記上面板部及び下面板部は上面板及び下面板の平面方向に沿って折り畳み可能に形成されると共に、上記側面版部は、上記上面板部及び下面板の折り畳み動作に追随して高さ方向に沿って形成される一対の折り畳み線部に沿って、幅方向に２つに折り畳み可能に形成され、側面板部においては、上記支柱部と側面板部との間には、上記一対の折り畳み線部に沿って、常時、側面板部および支柱部を接合させる方向へ付勢する付勢部材が設けられ、上記一対のヒンジ部を結ぶ仮想線は、上記一対の折り畳み線部を結ぶ仮想線とは直交するように配置され、折り畳み状態では、上記上面板と下面板、及び側面板は、上記付勢部材の付勢力に抗して幅方向に沿って２つに折り畳まれると共に、使用時には、上記付勢部材の付勢力により所定の形態に復帰することを特徴とする。  
【００１１】
また、請求項２の考案にあっては、上記支柱部は、上記ディスプレイ本体部の中央部において上記一対のヒンジ部の間の方向に直交して配置される板材として形成され、上記支柱部には上記付勢部材の係止部が設けられると共に、上記側面板部内方には、上記支柱部の両縁部に当接する上記付勢部材の係止部が設けられ、上記付勢部材は、常時、上記側面部内方に設けられた付勢部材の係止部を上記支柱部の縁部に圧接するように付勢していることを特徴とする。
【００１２】
また、請求項３記載の考案にあっては、上記支柱部,上面板部及び下面板部はダンボール材により形成されると共に上記側面板部は厚紙により形成されていることを特徴とする。
【００１３】
また、請求項４記載の考案にあっては、上記上面板部及び下面板部は同一形状であって同一面積を有していることを特徴とする。
【００１４】
また、請求項５記載の考案にあっては、上記上面板部及び下面板部は同一半径を有する円形に形成されると共に、上記側面板部は上記上面板部及び下面板部の周縁部に接合し得るように形成され、全体として円筒状に形成されていることを特徴とする。
【考案の効果】
【００１５】
請求項１記載の考案にあっては、付勢部材は一対の折り畳み線部の間に設けられ、上記一対のヒンジ部を結ぶ線部と離間し、双方の線部は互いに直交するように形成されていることから、上記付勢部材の付勢力は直接には上記ヒンジ部に作用しない。
【００１６】
その結果、上記ヒンジ部は折り畳み又は展開動作の際に開閉するものであるが、開閉動作を繰り返した場合であっても、ヒンジ部に付勢部材の付勢力が直接には作用せず、長期間に亘り使用した場合であっても、ヒンジ部が劣化したり、破損したりする事態は生じない。従って、長年に亘って使用できる経年変化のないディスプレイ装置を提供することができる。
【００１７】
また、請求項２記載の考案にあっては、上記支柱部は、上記ディスプレイ本体部の中央部において一対のヒンジ部の間の方向に直交して配置されていることから、ヒンジ部以外に側面板部の支持部位を形成することができるため、全体として強固な構成とすることができる。
【００１８】
また、上記支柱部の両縁部には一対に設けられた付勢部材の係止部がそれぞれ当接することから、支柱部および係止部により内部に強固な構造体が形成されることから、確実にディスプレイ本体部を形成することができる。
【００１９】
また、請求項３記載の考案にあっては、上記支柱部はダンボール材により形成されると共に上記側面板部は厚紙により形成されており、従来のディスプレイ装置のように装置全体がダンボールにより形成されてはいないため、装置全体の重量を軽減することができ、また、折りたたんだ際には厚さ寸法を低減することができ、容易に搬送することができる。
【００２０】
また、請求項４記載の考案にあっては、上記上面板部及び下面板部は同一形状であって同一面積を有していることから、上面部および下面部のいずれにあっても、ディスプレイ用の品物の載置面部として使用することができる。
【００２１】
また、請求項５記載の考案にあっては、ディスプレイ装置本体部は円筒状に形成されていることから、円筒形状のディスプレイ装置が形成される。
【考案を実施するための最良の形態】
【００２２】
図１は、本考案に係るディスプレイ装置の一実施の形態を示す。
図１に示すように、本実施の形態に係るディスプレイ装置１０は、全体円筒状に形成され、支柱部１１と、この支柱部１１の周囲を覆う側面板部１２と、上記支柱部１１の上端部及び下端部に設けられた上面板部１３と下面板部１４とを有するディスプレイ装置本体部１５を備えている。
上記上面板部１３及び下面板部１４は、同一半径を有する平面円形に形成されると共に、上記側面板部１２は上記上面板部１３及び下面板部１４の周縁部に接合し得るように形成されている。
【００２３】
上記上面板部１３及び下面板部１４の直径位置には互いに対向して一対のヒンジ部１６,１６が、上面板部１３及び下面板部１４の間においても同一部位に形成されている。従って、上面板部１３及び下面板部１４はこれらのヒンジ部１６,１６,１６,１６を介して夫々、側面板部１２の上端部及び下端部内方部位に接合されている。
本実施の形態にあっては、上記上面板部１３、下面板部１４及び支柱部１１は同一のダンボール材により一体に形成されている。即ち、図２に示すように、２枚のダンボール材１７,１７を互いに接着剤を介して接合させて支柱部１1および、上面板部１３,下面板部１４を形成するものである。
【００２４】
即ち、ダンボール材１７,１７は、略長方形状の支柱形成部２０,２０と、この支柱形成部２０、２０の両端部に連続して設けられ、略半円状の上面板形成部１８,１８及び下面板形成部１９,１９とを有している。また、支柱形成部２０，２０において上記下面板形成部１９,１９の近傍には付勢部材の係止孔２１,２１が開設されている。
また、上記下面板形成部１８,１８及び上面板形成部１９,１９の先端部には夫々、細長長方形状のヒンジ形成部２２,２２が設けられている。上記上面板形成部１８,１８の下部には幅方向に沿ってコ字状の切り込み部２３,２３が形成され、この切り込み２３,２３により形成される長方形状部位１５により支柱上端部２４,２４が形成される。
【００２５】
一方、側面板部１２は、図３に示すように、全体略長方形状の厚紙２５,２５により形成される。この厚紙２５,２５は、その幅方向において夫々、付勢部材の係止部２６,２６が対向して設けられている。
この係止部２６,２６は全体略台形状に形成され、その中央部には略Ｌ字状の切り込み部２７,２７が形成され、この切り込み部２７,２７により付勢部材の係止部が形成される。この係止部２６,２６に連続する台形の部位は側面板部１２を形成した場合の接合部位２８,２８である。
【００２６】
また、図４に示すように、上記係止部２６,２６には、さらに、付勢部材の係止状態を安定させるために、保護部材２９,２９が固定される。この保護部材２９,２９は全体長方形状に形成され、長さ方向に２つ折り可能に形成され、長さ方向の中央部において幅方向に沿ってコ字状の孔部３０,３０が開設されており、保護部材２９,２９を長さ方向に２つ折りにして上記係止部２６,２６を挟むようようにして接合させて固定した場合には、上記コ字状の孔部３０,３０は上記切り込み部２７,２７に対応して配置され、付勢部材の側面板部側係止孔３１が形成されるものである。
従って、本実施の形態に係るディスプレイ装置１０を作成する場合には、以下のように行う。
【００２７】
まず、２枚のダンボール材１７,１７の支柱形成部２０,２０に適宜の接着剤を塗布して張り合わせて支柱部１１を形成し、上面板形成部１８,１８及び下面板形成部１９,１９を夫々、形成された支柱部１１に対して、折り曲げ線３２に沿って折曲して直角方向に折り曲げ形成し、平面略円形の上面板部１３及び下面板部１４を形成する。この場合、上記切り込み２３,２３により形成された長方形状部位１５は上面板部１８,１８上方に突出し、支柱上端部２４,２４を形成する。
【００２８】
次に、このように形成された支柱部１１の周囲を、上面板形成部１８および下面板形成部１９の周縁部３５に沿って配置した状態で厚紙２５,２５により覆う。
この場合、２枚の厚紙２５,２５の接合部位２８,２８,２８,２８を、接着剤により互いに接合させると共に、上記係止部２６,２６,２６,２６を、形成されるディスプレイ装置１０の内方側に、対抗した状態で突出するように折曲し、この状態で付勢部材の係止部２６,２６,２６,２６を互いに接着剤により接合させて、上記支柱部１１を包囲する円筒を形成する。
【００２９】
この際に、図１に示すように、上記保護部材２９,２９を上記付勢部材の係止部２６,２６に固定しておく。その後、上記付勢部材の係止孔２１と上記一対の側面板側係止部３１,３１との間に夫々、ゴム材からなる付勢部材３３,３３を張設する。
その後、上面板部１３及び下面板部１４の周縁に沿わせて厚紙２５,２５を配置すると共に、上面板部１３の平面方向において、上記ヒンジ部１６,１６,１６,１６とは略直角となる部位に側面板側係止部３１，３１が配置されるように仮固定する。
上面板部１３の周縁部に形成されたヒンジ形成部２２,２２及び下面部１４の周縁部に形成されたヒンジ形成部２２,２２を、夫々、側面板部１２の上縁部及び下縁部に接着剤により固定してヒンジ部１６,１６を形成することにより、最終的に側面板部１２に固定する。これにより、本実施の形態に係るディスプレイ装置１０が完成する。
【００３０】
本実施の形態に係るディスプレイ装置１０にあっては、上記支柱部１１は側面長方形板状に形成され、その両端縁には上記側面板部１２の付勢部材の係止部２６、２６がそれぞれ当接している。
【００３１】
そして、上記付勢部材３３，３３は、係止孔２１と上記係止部２６、２６に設けられた側面板部側係止孔３１との間に緊張状態を持って張設され、常時、支柱部１１の両側縁部に対して上記係止部２６，２６を圧接させる付勢力が作用している。
その結果、上面板部１３および下面板部１４は側面板部１２の内周縁部に圧接しており、側面板部１２、支柱部１１、上面板部１３および下面板部１４とにより所定の強度を有する構造体が形成される。
また、上記上面板部１３が適切に側面板部１２に対して略直角に当接していないような場合には、上記支柱上端部２４を上方へ引く等の操作を行うことにより適切な状態を形成することができる。
【００３２】
従って、この状態で、例えば、上面板部１３上にディスプレイ対象物を載置し、ディスプレイを行うことができる。
このディスプレイ装置１０を撤去する場合には、上記ディスプレイ装置１０を持ち上げ、上記支柱上端部２４を手により操作して、上記付勢部材３３，３３の付勢力に抗してディスプレイ装置１０の下方に押圧して、上記ヒンジ部１６，１６を介して上面板部１３および下方面部１４を下方へ傾斜させ、上面板部１３および下面板部１４の周縁部３５と側面板部１２との間の当接状態を解除する。
その結果、支柱部１１は上記係止部２６、２６に沿って下方へスライドし、上記ヒンジ部１６、１６を介して側面板部１２の上端部および下端部を、それぞれ、折りたたみ線３６に沿って内方に２つに折りたたむ。
その結果、ディスプレイ装置１０の高さ方向に沿って形成されている、上記側面板部１２を形成する厚紙２５，２５の接合部位に形成される折りたたみ線３４，３４に沿って直径方向に２つに折りたたまれることとなる。
【００３３】
従って、この状態でディスプレイ装置１０は折りたたんだまま、適宜、搬送することができる。従って、非常に厚さが薄い状態で搬送できることから搬送に便利である。
また、本実施の形態に係るディスプレイ装置１０にあっては、従来のものとは異なり、
全体がダンボールにより形成されえてはいないことから、全体の重量も軽減することができ、より搬送作業が容易になる。
なお、本実施の発明に係るディスプレイ装置の具体的構成に関しては上記形態に限定されない。例えば、上面板部および下面板部を方形に形成し、全体を細長直方体に形成することも可能である。
【００３４】
また、ディスプレイ装置を構成する板材の素材に関しても、ダンボールおよび厚紙に限定されず、軽量で折りたたみうる素材であれば、適宜、採用できる。
【図面の簡単な説明】
【００３５】
【図１】本考案の一実施の形態に係るディスプレイ装置を示す斜視図である。
【図２】同様に  本考案の一実施の形態に係るディスプレイ装置を示し、柱部を作成するための構成部材を示す展開図である。
【図３】同様に  本考案の一実施の形態に係るディスプレイ装置を示し、側面板部を作成するための構成部材を示す展開図である。
【図４】本考案の一実施の形態に係るディスプレイ装置に使用される付勢部材の係止部を補強する部材を作成する構成部材を示す展開図である。
【図５】従来のディスプレイ装置を示す斜視図である。
【図６】従来のディスプレイ装置を示す側面図である。
【図７】従来のディスプレイ装置を示す底面図である。
【符号の説明】
【００３６】
１０  ディスプレイ装置
１１  支柱部
１２  側面版部
１３  上面板部
１４  下面板部
１５  長方形状部位
１６  ヒンジ部
１７  段ボール材
１８  上面板形成部
１９  下面板形成部
２０  支柱形成部
２１  係止孔
２２  ヒンジ形成部
２３  切り込み部
２４  支柱上端部
２５  厚紙
２６  係止部
２７  切り込み部
２８  接合部位
２９  保護部材
３０  コ字状の孔部
３１  側面板部側係止孔
３２  折曲線
３３  付勢部材
３４  折りたたみ線
３５  周縁部
【図１】
0003103992.tif 000003
【図２】
0003103992.tif 000004
【図３】
0003103992.tif 000005
【図４】
0003103992.tif 000006
【図５】
0003103992.tif 000007
【図６】
0003103992.tif 000008
【図７】
0003103992.tif 000009